(57)【要約】【課題】操作性の良い入力キーを提供する。【解決手段】画像処理装置１００は、ディスプレイ３３と、機能設定キー２７と、ＣＰＵ１と、を備えている。機能設定キー２７は、入出力の設定を含む各種機能を設定するための機能設定画面をディスプレイ３３に表示するためのキーであり、かつ、複数ページで構成された機能設定画面のページ切替が可能である。ＣＰＵ１は、機能設定キー２７の操作に応じて機能設定画面をディスプレイ３３に表示する。【選択図】図２
2013051491.tif 000002
【特許請求の範囲】
【請求項１】
表示部と、
入出力の設定を含む各種機能を設定するための機能設定画面を前記表示部に表示するためのキーであり、かつ、複数ページで構成された前記機能設定画面のページ切替が可能である機能設定キーと、
前記機能設定キーの操作に応じて機能設定画面を前記表示部に表示する制御部と、
を備える画像処理装置。
【請求項２】
前記機能設定画面内に表示された複数の項目のうち、いずれかの項目を選択状態にするための選択キーをさらに備える、請求項１に記載の画像処理装置。
【請求項３】
前記制御部は、前記機能設定キーが前記機能設定画面の最終ページにおいて操作されるのに応じて、前記機能設定画面を終了させて入出力待機画面を前記表示部に表示する、請求項２に記載の画像処理装置。
【請求項４】
前記制御部は、前記機能設定キー及び前記選択キーの操作により選択された項目の値を記憶した状態で、前記入出力待機画面を前記表示部に表示する、請求項３に記載の画像処理装置。
【請求項５】
前記制御部は、前記機能設定キーが前記機能設定画面の最終ページにおいて操作されるのに応じて、前記機能設定画面の１ページ目を前記表示部に表示する、請求項２に記載の画像処理装置。
【請求項６】
前記制御部は、前記機能設定画面内におけるカーソルの最終の位置を記憶しており、次に機能設定キーが操作されて次ページの機能設定画面を前記表示部に表示する際に、前記最終の位置に前記カーソルを位置させる、請求項２〜５のいずれかに記載の画像処理装置。
【発明の詳細な説明】
【技術分野】
【０００１】
本発明は、画像処理装置に関する。
【背景技術】
【０００２】
ファクシミリ通信が可能な画像処理装置において、ファクスすべき内容をメモリに記憶させて送信するなどの応用機能を利用する場合には、ユーザは、次のようにして応用機能の設定を行う。まず、ユーザは機能設定キーを１回操作し、画像処理装置の表示部にファクスメニューを表示する。ファクシミリ通信に関する応用機能には設定可能な複数の項目が含まれており、例えば１ページあたり６つの項目が表示部に表示され、ファクスメニューは複数ページに亘って表示される。
次に、ユーザは、ファクスメニューが表示された状態で、カーソルキーを操作し、ページの切り替え及び項目の選択を行う。所望の項目が含まれたページが表示部に表示されれば、ユーザはカーソルキーで所望の項目を選択する。なお、ファクスメニューが表示された状態においては、再び機能設定キーが操作されても画像処理装置は無視する。
【０００３】
前述のような方法の場合、ユーザは、最初に機能設定キーを操作してファクスメニューを表示部に表示し、次に機能設定キーとは異なるカーソルキーを操作してページの切り替えを行い、所望の項目を選択する必要がある。カーソルキーを用いてページを切り替える場合には、ユーザはカーソルキーを複数回操作する必要がある。例えば、３行２列からなる６つの項目が１ページのメニューとして表示部に表示されている場合には、ユーザはカーソルキーを行方向に３回、あるいは、列方向に２回操作することで次のページに切り替える必要があり煩雑である。
【０００４】
特許文献１によれば、表示部に基本操作画面が表示されている状態で、ユーザがワンタッチ入力キーを１回操作した場合、ワンタッチ入力キーに割り当てられている設定項目のメニューが表示部に表示される。ユーザがワンタッチ入力キーをさらに連続的に操作すると、該当の設定項目の設定値の候補が順番に切り替わる。例えば、ワンタッチ入力キーに「原稿の画質」という設定項目が割り当てられている場合、ユーザがワンタッチ入力キーを１回操作すると、基本操作画面が「原稿の画質」のメニュー画面に切り替わる。「原稿の画質」のメニュー画面では、１ページに複数の設定値の候補が表示される。さらにユーザがワンタッチ入力キーを連続的に操作すると、設定値の候補が、「写真」、「鉛筆文字」、「地図」、「文字」・・・などのように順番に切り替わる。
【先行技術文献】
【特許文献】
【０００５】
【特許文献１】特開２０１０−０８１１７８号公報
【発明の概要】
【発明が解決しようとする課題】
【０００６】
特許文献１においては、ユーザが１つのワンタッチ入力キーを連続的に操作することで、設定項目のメニューの表示及び設定値の候補の切り替えができる。しかし、特許文献１では、１ページのみからなる設定項目のメニュー画面内において、設定値の候補がワンタッチ入力キーの操作によって順番に切り替わることを開示しているに過ぎない。つまり、特許文献１は、設定値の候補が複数ページに亘って表示される場合に、どのようにしてページを切り替えることができるかについては開示していない。あるいは、特許文献１からは、１ページ内に表示される設定値の候補を最初から最後まで順に切り替えた後、さらにワンタッチ入力キーを操作することで次のページを表示し得ることが分かるに過ぎない。よって、特許文献１においてもまた、ページ切り替えの操作が煩雑であり、操作性の良い入力キーが提供できていない。
【０００７】
本発明の課題は、操作性の良い入力キーを提供することにある。
【課題を解決するための手段】
【０００８】
以下に、課題を解決するための手段として複数の態様を説明する。これら態様は、必要に応じて任意に組み合せることができる。
本発明の一見地に係る画像処理装置は、表示部と、機能設定キーと、制御部と、を備えている。機能設定キーは、入出力の設定を含む各種機能を設定するための機能設定画面を表示部に表示するためのキーであり、かつ、複数ページで構成された機能設定画面のページ切替が可能である。制御部は、機能設定キーの操作に応じて機能設定画面を表示部に表示する。
【０００９】
例えば、ファクシミリ通信、印刷及び画像の読み取りが可能な画像処理装置において、ファクシミリ通信を行う場合を考える。ユーザが所定のキーによりファクシミリ通信を選択し、さらに機能設定キーを押せば、ファクシミリ通信に関する機能設定画面が表示部に表示される。ファクシミリ通信に関する設定項目は、グループ送信、送付案内書、両面読み取り、連続読み込み、自動受信、メモリー送信、送受信の時刻指定などの複数の設定項目から構成されている。例えば、設定項目が２４項目あり、６項目が１ページの機能設定画面に表示される場合には、２４の設定項目は４ページに亘る機能設定画面に表示される。このような場合に、ユーザは、機能設定キーを用いて機能設定画面のページを切り替えることが可能である。つまり、機能設定キーは、機能設定画面に入るための機能と、機能設定画面のページを切り替えるための機能と、の複数の機能を有する。よって、ユーザは、機能設定キーのみの連続操作によって別の画面から機能設定画面への切替及び機能設定画面のページ切替が可能であり、別の操作ボタンを操作することなく所望の設定項目を含むページを探すことができる。ユーザは、所望の項目を含むページに到達した場合には、その機能設定画面において後述の選択キーを操作することでカーソルを移動して所望の項目を選択して設定を行う。
【００１０】
なお、機能設定画面での設定項目の表示の仕方によっては、選択キーでのページ切替よりも、機能設定キーでのページ切替の方が少ない操作回数でページ切替を行うことができる。例えば、機能設定画面の設定項目が３行２列で表示され、各行列により１ページで６項目の設定項目が表示されているとする。１行１列の位置に選択キーのカーソルが配置されている場合にユーザが選択キーでページ切替を行う場合には、例えばユーザは行方向に３回操作するか、あるいは列方向に２回操作することでページ切替を行う。一方、ユーザは機能設定キーを用いてページ切替を行う場合には、１回の操作でページ切替を行うことができる。
以上の通り、ユーザは、各種機能の設定において、機能設定キーを連続的に操作することで、別の画面から機能設定画面への切替及び機能設定画面のページ切替を即座に容易に行うことができる。そのため、このような画像処理装置によれば、機能設定キーの操作性を向上してユーザの利便性を高めることができる。
【００１１】
画像処理装置は、機能設定画面内に表示された複数の項目のうち、いずれかの項目を選択状態にするための選択キーをさらに備えていてもよい。
ユーザは、機能設定キーを操作することにより所望の項目を含むページに到達した場合には、その機能設定画面において選択キーを操作することで所望の項目を選択することができる。例えば、ユーザが選択キーを操作することで、項目に合わせて表示されるカーソルが移動して所望の項目を選択状態にできる。
【００１２】
制御部は、機能設定キーが機能設定画面の最終ページにおいて操作されるのに応じて、機能設定画面を終了させて入出力待機画面を表示部に表示してもよい。
機能設定キーは、機能設定画面を表示させる機能と、機能設定画面のページ切替を行う機能を有するとともに、さらに、機能設定画面から入出力待機画面に戻る機能も有する。
例えば、ユーザが所定のキーによりファクシミリ通信を選択すれば、ファクスの入出力待機画面が表示される。ユーザが次に機能設定キーを押せば、ファクシミリ通信に関する機能設定画面の１ページ目が表示部に表示される。ユーザがさらに機能設定キーを押すことにより機能設定画面のページが切り替わり、最終ページが表示された後にユーザが再び機能設定キーを押せば、ファクスの入出力待機画面が表示部に表示される。そして、入出力待機画面においてファクスを出力するための操作が行われれば、ファクスの送信が行われる。
このように本発明の画像処理装置によれば、機能設定キーに複数の機能を持たせることができる。
【００１３】
制御部は、機能設定キー及び選択キーの操作により選択された項目の値を記憶した状態で、入出力待機画面を表示部に表示してもよい。
例えばユーザは、機能設定キーにより機能設定画面のページを切り替え、選択キーにより機能設定画面内の所望の項目を選択し、各種機能の設定を行う。ユーザは各種機能の設定が終了すれば表示部に入出力待機画面を表示させる。このとき、ユーザにより設定された各種機能は記憶されている。よって、ユーザが入出力待機画面において入力又は出力の実行を選択した場合には、画像処理装置は設定された各種機能に基づいて入出力を行える。
【００１４】
制御部は、機能設定キーが機能設定画面の最終ページにおいて操作されるのに応じて、機能設定画面の１ページ目を表示部に表示してもよい。
機能設定画面は、例えば１ページ、２ページ目、３ページ目と順番に切り替えられる。もし、現在のページよりも前ページにおいて設定項目を設定したい場合には、ユーザは、機能設定キーにより最終ページまでページを切り替え、最終ページにおいて機能設定キーを操作することにより１ページ目に戻ることができる。このようにユーザは、機能設定キーを操作することで所望のページまで機能設定画面を切り替えることができる。
【００１５】
制御部は、機能設定画面内におけるカーソルの最終の位置を記憶しており、次に機能設定キーが操作されて次ページの機能設定画面を表示部に表示する際に、最終の位置にカーソルを位置させてもよい。
例えば、機能設定画面の１ページ目において、３行１列の位置に選択キーのカーソルが配置されているとする。ユーザが機能設定キーを操作すれば、表示部には機能設定画面の２ページ目が表示される。このとき、カーソルは、１ページ目と同じ３行１列に配置される。
【発明の効果】
【００１６】
本発明の画像処理装置は、操作性の良い入力キーを提供することができる。
【図面の簡単な説明】
【００１７】
【図１】画像処理装置のハードウェア構成を示すブロック図である。
【図２】画像処理装置の操作パネルの外観構成図である。
【図３】（ａ）〜（ｆ）は機能設定画面のページ切替の様子を示す画面例である。
【図４】（ａ）〜（ｃ）は機能設定画面のページ切替の様子を示す別の画面例である。
【図５】画面の切替処理の流れを示すフローチャートの一例である。
【図６】画面の切替処理の流れを示すフローチャートの他の一例である。
【発明を実施するための形態】
【００１８】
（１）画像処理装置の概要
以下、本実施形態における画像処理装置を例に挙げて説明する。画像処理装置１００は、コピー機能、ファクシミリ通信機能、スキャナ機能及びネットワークプリンタ機能を有するいわゆる複合機である。図１を参照して、画像処理装置１００の構成を説明する。図１は、本実施形態の画像処理装置の要部構成を示すブロック図である。
【００１９】
画像処理装置１００は、ＣＰＵ１、フラッシュＲＯＭ（Read Only Memory）２、第１ＳＤＲＡＭ（Synchronous Dynamic Random Access Memory）３及びＳＲＡＭ（Static Random Access Memory）４を備えている。画像処理装置１００は、さらに、モデム５、ＮＣＵ（Network Control Unit）６、操作パネル７、ＲＴＣ（Real Time Clock）８、統合チップセット９、第２ＳＤＲＡＭ１０、スキャナ１１、プリンタ１２及びネットワークボード１３等を備える。
【００２０】
また、画像処理装置１００は、システムバス１４、第１ローカルバス１５、第２ローカルバス１６及びシリアルバス１７等のバスを備えており、画像処理装置１００内の各部はこれらのバスによって互いに接続されている。システムバス１４には、ＣＰＵ１、フラッシュＲＯＭ２、第１ＳＤＲＡＭ３、ＳＲＡＭ４、モデム５、ＮＣＵ６、操作パネル７、ＲＴＣ８及び統合チップセット９が接続されている。第１ローカルバス１５には、統合チップセット９及びネットワークボード１３が接続されている。統合チップセット９とスキャナ１１及びプリンタ１２とは、シリアルバス１７によって互いに接続されている。統合チップセット９と第２ＳＤＲＡＭ１０とは、第２ローカルバス１６によって接続されている。
【００２１】
ＣＰＵ１は、フラッシュＲＯＭ２等に格納される各種プログラムを読み出して実行し、画像処理装置１００の各部を制御する。また、ＣＰＵ１は、操作パネル７のディスプレイ３３での表示を制御する制御部であり、ＬＣＤＣ（Liquid Crystal Display Controller）１ａを有している。ＣＰＵ１は、ユーザの操作パネル７での操作に応じて、ＬＣＤＣ１ａを制御してディスプレイ３３に各種画面を表示する。これにより、後述の入出力待機画面及び機能設定画面などの画面がディスプレイ３３に表示される。なお、ディスプレイ３３が液晶表示装置（ＬＣＤ：Liquid Crystal Display）である場合には、ＬＣＤＣ１ａがコントローラとして用いられる。しかし、コントローラはＬＣＤＣに限定されず、ディスプレイ３３の種類に応じて適宜最適なコントローラを採用可能である。また、図１では、ＬＣＤＣ１ａはＣＰＵ１内に設けられているが、ＬＣＤＣ１ａはＣＰＵ１の外部に設けられていてもよい。
【００２２】
フラッシュＲＯＭ２は、ＣＰＵ１に読み込まれる各種プログラムを記憶している。
第１ＳＤＲＡＭ３は、予め登録された各種設定情報を記憶するＣＰＵ１の主メモリであり、各種プログラムを実行するワークエリアとして機能する。
ＳＲＡＭ４は、短縮ダイヤル等の各種のユーザ設定及びエラー情報等を記憶可能である。
【００２３】
これらのフラッシュＲＯＭ２、第１ＳＤＲＡＭ３及びＳＲＡＭ４などの記憶部は、プリンタ１２、スキャナ１１及びファクス等の機器それぞれについて入出力待機画面及び機能設定画面に関する情報を記憶する。入出力待機画面及び機能設定画面に関する情報としては、例えば各画面のフォーマット、各画面の各ページに表示される設定項目、機器毎の機能設定画面の全ページ数ｎａなどが挙げられる。また、これらの記憶部は、例えば、操作パネル７によって設定された設定値、プリンタ１２、スキャナ１１及びファクス等の機器の状態値を記憶することもできる。例えば、これらの記憶部のうちフラッシュＲＯＭ２は、各画面のフォーマット、各画面の各ページに表示される設定項目及び機能設定画面の全ページ数ｎａなどの予め定められている情報を記憶する。また、例えば第１ＳＤＲＡＭ３及び／又はＳＲＡＭ４は、操作パネル７によって設定された設定値及び機器の状態値など、随時変化し得る情報を記憶する。なお、操作パネル７によって設定された設定値とは、後述の機能設定画面において、ユーザがカーソルキー２９等を用いて設定した値である。また、機器の状態値とは、例えばプリンタ１２が印刷中であるのか、印刷待機状態であるのか、スキャナ１１が読み取り中であるのかなど、各機器の状態を示す値である。ＣＰＵ１は、これら操作パネル７による設定値及び機器の状態値を、操作パネル７内のディスプレイ３３に表示する。以下では、特記する場合を除いて、フラッシュＲＯＭ２、第１ＳＤＲＡＭ３及びＳＲＡＭ４などは単に記憶部と称する。
【００２４】
モデム５は、デジタル信号とアナログ信号を相互変換する変復調装置であり、通常のファクシミリ通信用のファクシミリモデムの機能を有する。モデム５は、ＮＣＵ６と直接接続されている。
ＮＣＵ６は、公衆交換電話網（ＰＳＴＮ：Public Subscriber Telephone Network）１９に接続されており、電話回線を介して発呼及び着呼を含む通信を制御する。
【００２５】
操作パネル７は、ディスプレイ３３、タッチセンサを有するタッチパネル及びハードキー等を備える。操作パネル７は、コピー、スキャン、又はファクシミリ送信等の指示をユーザから受け付ける。また、操作パネル７は、ディスプレイ３３に後述の機能設定画面を表示し、各種機器の入出力の設定をユーザから受け付ける。また、ディスプレイ３３は、画像処理装置１００の動作状況及びエラーの発生等の情報をユーザに伝えることもできる。
【００２６】
ＲＴＣ８は、時計回路であり、画像処理装置１００の電源が切られていても時刻を刻み続けることができる。
ネットワークボード１３は、ＬＡＮ（Local Area Network）１８を介してネットワークと接続され、ＴＣＰ／ＩＰプロトコルに従ってクライアントＰＣ及び他の機器との通信機能を実行する。
【００２７】
スキャナ１１は、ＣＰＵ１の制御の下、原稿から画像を読み取るスキャナ機能を実現する。スキャナ１１は、例えば、ＣＣＤ（Charge Coupled Device）等のイメージセンサを有している。スキャナ１１によって読み取られた原稿の画像データは、図示しないＡＦＥ（Analog Front End）によってアナログ信号からデジタル信号に変換されて、統合チップセット９に入力される。
プリンタ１２は、ＣＰＵ１の制御の下、スキャナ１１により原稿から読み取られた画像データ及びファクシミリ通信機能によって受信された画像データを用紙に印刷するプリント機能を実現する。またプリンタ１２は、ＣＰＵ１の制御の下、ネットワークプリント機能によってＬＡＮ１８を介して受信された画像データを用紙に印刷するプリント機能を実現する。
【００２８】
統合チップセット９は、画像データに対して用紙に印刷するための画像処理を行う。統合チップセット９は、図示しないＣＯＤＥＣ（Coder and Decoder）を有する。画像データは、ＣＯＤＥＣによって圧縮及び展開される。すなわち、ＣＯＤＥＣは、スキャナ１１から受け取った原稿の画像データ及びファクシミリ通信によって送受信する画像データに対して、圧縮（符号化）及び復号等の処理を行う。圧縮形式としては、公知の形式が採用可能である。
第２ＳＤＲＡＭ１０は、統合チップセット９で処理された画像データ等のデータを記憶する。第２ＳＤＲＡＭ１０は、例えば、ファクス送信される画像データ及びプリンタ１２により印刷される画像データなどを記憶する。
【００２９】
（２）操作パネル
図２は画像処理装置の操作パネルの外観構成図である。
操作パネル７は、例えば、ディスプレイ３３、照明部２０〜２２、機器決定キー２３、画質決定キー２４、濃度決定キー２５、読取サイズ決定キー２６、機能設定キー２７、リセットキー２８、カーソルキー２９、テンキー３０、スタートキー３１、ストップキー３２等を含む。
【００３０】
本実施形態による画像処理装置１００では、プリンタ１２による印刷、スキャナ１１による画像の読み取り、モデム５によるファクシミリ通信が可能である。機器決定キー２３は、前述のいずれの機器を使用するかを決定するためのキーであり、機器決定キー２３の操作により機器の切り替えが可能である。照明部２０〜２２は、機器決定キー２３の上方に設けられており、機器決定キー２３により選択された機器に対応する照明部２０〜２２が点灯する。図２では、ファクシミリ通信が選択されており、ファクスの照明部２２が点灯している。
【００３１】
また、機器決定キー２３により機器が選択されると、ディスプレイ３３には、選択された機器に関連する入出力待機画面が表示される。入出力待機画面とは、例えば、選択された機器により入出力が可能な状態で待機している際に表示される画面である。図２のディスプレイ３３には、ファクシミリ通信の入出力待機画面が表示されている。
【００３２】
画質決定キー２４、濃度決定キー２５及び読取サイズ決定キー２６は、それぞれ、ディスプレイ３３に表示された画質、濃度、読み取りサイズの各項目に対応している。ユーザは、各選択キーを操作することで、画質、濃度及び読み取りサイズを調整可能である。
機能設定キー２７は、機器決定キー２３により選択された機器について各種機能を設定するためのキーである。機器が選択された後、機能設定キー２７の１回目の操作により、各種機能が設定可能な機能設定画面が表示される。そして、２回目以降の機能設定キー２７の操作により、機能設定画面のページ切替が可能である。つまり、本実施形態の画像処理装置１００は、１回目の機能設定キー２７の操作によって機能設定画面の１ページ目を表示し、２回目、３回目・・・の操作により２ページ、３ページ目というように機能設定画面のページを切り替える。各画面の詳細については後述する。
【００３３】
リセットキー２８は、機能設定画面で設定された設定値を全てクリアして入出力待機画面を表示するためのキーである。
カーソルキー２９は、ディスプレイ３３に表示されるカーソルを上下左右に移動するためのキーである。例えば、ディスプレイ３３に複数の設定項目を含む機能選択画面が表示されている場合、ユーザがカーソルキー２９を上下左右に移動させるのに応じてカーソルもまた上下左右に移動し、各設定項目の選択状態が切り替わる。その後、ユーザが機能選択画面に表示された「確定」ボタン（読取りサイズ決定キー２６が兼用される）を操作することで、選択された設定項目の機能が確定される。
テンキー３０は、ファクス番号等の数字を入力するためのキーである。
スタートキー３１は、各種処理を開始するためのキーである。例えば、機器としてファクスが選択されている場合に、ユーザがスタートキー３１を操作すると、ファクシミリ通信が開始される。
ストップキー３２は、各種処理を中止するためのキーである。
【００３４】
（３）画面例
以下に、ディスプレイ３３に表示される画面例について説明する。ディスプレイ３３での画面の表示は、制御部であるＣＰＵ１により制御される。また、操作パネル７によって設定された設定値、プリンタ１２、スキャナ１１等の機器の状態値は、記憶部である例えば第１ＳＤＲＡＭ３及び／又はＳＲＡＭ４等に記憶される。ＣＰＵ１は、操作パネル７でのユーザの操作結果、記憶部に記憶されている設定値及び状態値等に基づいて、ディスプレイ３３に各種画面を表示する。
【００３５】
（３−１）ページ切替の画面例１
図３の（ａ）〜（ｆ）は機能設定画面のページ切替の様子を示す画面例であり、各画面は操作パネル７のディスプレイ３３に表示される。
まず、ユーザが機器決定キー２３により機器を選択すると、ディスプレイ３３には、選択された機器に関連する入出力待機画面が表示される（図３の（ａ）参照）。図３の（ａ）の場合、機器としてファクスが選択されており、ファクシミリ通信の入出力待機画面が表示されている。入出力待機画面には、例えば、画質、濃度、読取サイズ、年月日、時刻、メモリ残量などの各種情報が表示されている。機能設定キー２７及びカーソルキー２９等により各種機能の設定がまだ行われていない場合、各種機能の設定値はデフォルト値に設定されている。よって、この状態でユーザがテンキー３０及びスタートキー３１などを操作すれば、デフォルト値でのファクシミリ通信が可能である。
【００３６】
次に、ユーザが機能設定キー２７の１回目の操作を行うと、機能設定画面の１ページ目が表示される（図３の（ｂ）参照）。ここで、ファクシミリ通信に関する設定項目は、グループ送信、送付案内書、両面読み取り、連続読み込み、自動受信、メモリー送信、送受信の時刻指定などの複数の設定項目から構成されている。例えば、設定項目が２４項目ある場合には、６項目が１ページの機能設定画面に表示され、２４の設定項目は、４ページに亘って機能設定画面に表示される。機能設定キー２７の１回目の操作では、この４ページに亘る機能設定画面のうち１ページ目がディスプレイ３３に表示される。
ユーザが機能設定キー２７の２回目の操作を行うと、機能設定画面の２ページ目が表示される（図３の（ｃ）参照）。
【００３７】
さらに、ユーザが機能設定キー２７の４回目の操作を行うと、機能設定画面の最終ページである４ページ目が表示される（図３の（ｄ）参照）。
続いて、ユーザが機能設定キー２７の５回目の操作を行うと、機能設定画面が終了して入出力待機画面に戻る（図３の（ｅ）参照）。
次に、ユーザが機能設定キー２７の６回目の操作を行うと、再び、機能設定画面の１ページ目が表示される（図３の（ｆ）参照）。
【００３８】
このように機能設定キー２７によりページ切替を行って、所望の設定項目を含むページに到達した場合には、ユーザは、その機能設定画面においてカーソルキー２９を操作する。そして、ユーザは、カーソルを移動して所望の設定項目を選択状態とし、「確定」ボタンを押す。機能設定の終了後、ユーザは、機能設定画面に表示された「閉じる」ボタン（濃度決定キー２５が兼用される）を押して機能設定画面を終了させる。これにより、再び入出力待機画面がディスプレイ３３に表示される。あるいは、入出力待機画面は、機能設定キー２７の操作によりディスプレイ３３に表示されてもよい。この入出力待機画面に戻った状態において、記憶部はユーザにより設定された設定値を記憶している。よって、ユーザがテンキー３０により相手先のファクス番号を入力してスタートキー３１を操作すれば、設定値に基づいてファクシミリ通信が行われる。
【００３９】
以上のように、ユーザは、機能設定キー２７を用いて機能設定画面のページを切り替えることが可能である。つまり、機能設定キー２７は、機能設定画面に入るための機能と、機能設定画面のページを切り替えるための機能と、を有する。よって、ユーザは、機能設定キー２７のみの連続操作によって別の画面から機能設定画面への切替及び機能設定画面のページ切替を即座に容易に行うことができる。このように別の操作ボタンを操作することなく所望の設定項目を含むページを探すことができため、機能設定キーの操作性を向上してユーザの利便性を高めることができる。
また、図３の（ｅ）を考慮すれば、機能設定キー２７は、機能設定画面に入るための機能及び機能設定画面のページを切り替えるための機能に加えて、さらに、機能設定画面から入出力待機画面に戻る機能も有する。このように、本実施形態の画像処理装置１００によれば、機能設定キー２７に、機能設定画面に入るための機能以外の２以上の機能を持たせることができる。
【００４０】
なお、ユーザはカーソルキー２９を操作することによっても機能設定画面のページ切替ができる。しかし、機能設定画面での設定項目の表示の仕方によっては、カーソルキー２９でのページ切替よりも、機能設定キー２７でのページ切替の方が少ない操作回数でページ切替を行うことができる。例えば、図３に示すように機能設定画面の設定項目が３行２列で表示され、各行列により１ページで６項目の設定項目が表示されているとする。１行１列の位置にカーソルキー２９のカーソルが配置されている場合にユーザがカーソルキー２９でページ切替を行う場合には、例えばユーザは行方向に３回操作するか、あるいは列方向に２回操作することでページ切替を行うことが可能である。一方、本実施形態の機能設定キー２７を用いてページ切替を行う場合には、ユーザは１回の操作でページ切替を行うことができる。
【００４１】
また、上記では、ディスプレイ３３に機能設定画面の最終ページが表示されている場合に、ユーザが機能設定キー２７を操作すれば、ディスプレイ３３には入出力待機画面が表示される（図３の（ｄ）及び（ｅ））。しかし、ディスプレイ３３に機能設定画面の最終ページが表示されている場合に、ユーザが機能設定キー２７を操作した場合、機能設定画面の１ページ目がディスプレイ３３に表示されてもよい。機能設定画面のページは、例えば１ページ、２ページ目、３ページ目と順番に切り替えられる。もし、現在のページよりも前ページに表示されていた設定項目を設定したい場合には、ユーザは、機能設定キー２７により最終ページまでページを切り替え、最終ページにおいて機能設定キーを操作することにより１ページ目に戻ることができる。ユーザは、さらに機能設定キー２７を操作することで所望のページまで機能設定画面を切り替える。
【００４２】
（３−２）ページ切替の画面例２
図４の（ａ）〜（ｃ）は機能設定画面のページ切替の様子を示す別の画面例である。
まず、ユーザが機器決定キー２３により機器を選択すると、ディスプレイ３３には、選択された機器に関連する入出力待機画面が表示される（図４の（ａ）参照）。
次に、ユーザが機能設定キー２７の１回目の操作を行うと、機能設定画面の１ページ目が表示される。ここで、ユーザは、カーソルキー２９を下方向に操作することによりカーソルを１行１列の位置から移動させている（図４の（ｂ）参照）。ここでは、カーソルは、１行１列の位置の「グループ送信」から３行１列の位置の「ＩＤチェック」へと移動している。ここで、制御部であるＣＰＵ１は、記憶部にカーソルの最終位置を記憶させる。図４の（ｂ）の場合、記憶部はカーソルの最終の位置を３行１列と記憶する。
次に、ユーザが機能設定キー２７の２回目の操作を行うと、機能設定画面の２ページ目が表示される（図４の（ｃ）参照）。このとき、ＣＰＵ１は、記憶部に記憶されているカーソルの最終位置に基づいて、現在の機能設定画面にカーソルを配置する。つまり、図３の（ｃ）の場合、３行１列の位置である「Ｆコード送信」にカーソルが配置される。
【００４３】
（４）処理の流れ
（４−１）処理の一例
図５は、画面の切替処理の流れを示すフローチャートの一例である。なお、ディスプレイ３３での画面の表示及び照明部２０〜２２の点灯は、制御部であるＣＰＵ１が制御している。
【００４４】
ステップＳ１：ＣＰＵ１は、ユーザから操作パネル７の機器決定キー２３の操作を受け付ける。ＣＰＵ１は、機器決定キー２３により選択された機器に対応する照明部２０〜２２を点灯する。
ステップＳ２：ＣＰＵ１は、選択された機器に関連する入出力待機画面のデータを記憶部から読み出し、ディスプレイ３３に入出力待機画面を表示する。例えば、機器としてファクスが選択された場合には、図３の（ａ）示すファクシミリ通信の入出力待機画面がディスプレイ３３に表示される。
ステップＳ３：ＣＰＵ１は、機能設定画面のページ数ｎを０に設定する（ｎ＝０）。
【００４５】
ステップＳ４：ＣＰＵ１は、操作パネル７の機能設定キー２７の操作を受け付けたか否かを判断する。ＣＰＵ１は、機能設定キー２７の操作を受け付けていないときは、待機する（ステップＳ４のＮｏ）。
ステップＳ５：ＣＰＵ１は、機能設定キー２７の操作を受け付けた場合は、機能設定画面のページ数ｎに１を加算する（ｎ＝ｎ＋１）。
ステップＳ６：ＣＰＵ１は、記憶部からｎページ目の機能設定画面に関連するデータを読み出し、ディスプレイ３３にｎページ目の機能設定画面を表示する。
ステップＳ７：ＣＰＵ１は、ｎページ目の機能設定画面が最終ページか否かを判断する。例えば、ＣＰＵ１は、機能設定画面の全ページ数ｎａを記憶部から読み出し、ｎとｎａとを比較する。そして、ＣＰＵ１は、ｎ＝ｎａの場合にはｎページ目の機能設定画面が最終ページであると判断する。一方、ｎページ目の機能設定画面が最終ページではない場合、ステップＳ４に戻り、ＣＰＵ１は機能設定キー２７の入力を待機する。
ステップＳ８：ｎページ目の機能設定画面が最終ページの場合に、操作パネル７の機能設定キー２７の操作を受け付けたか否かを判断する。機能設定キー２７の操作を受け付けていないときは、待機する（ステップＳ８のＮｏ）。機能設定キー２７の操作を受け付けた場合は、ステップＳ２に戻り、ＣＰＵ１は入出力待機画面を表示する。
【００４６】
（４−２）処理の他の一例
図６は、画面の切替処理の流れを示すフローチャートの他の一例である。図５のフローチャートでは、機能設定画面の最終ページにおいて機能設定キー２７が操作されるのに応じて、機能設定画面が終了して入出力待機画面がディスプレイ３３に表示される。図６のフローチャートの場合には、機能設定画面の最終ページにおいて機能設定キー２７が操作されれば、入出力待機画面が表示されるか、あるいは、機能設定画面の１ページ目が表示されるかで処理が分かれる。
【００４７】
図６のステップＳ１０〜Ｓ１２は図５のステップＳ１〜Ｓ３と同様であり、また図６のステップＳ１４〜Ｓ１７は図５のステップＳ４〜Ｓ７と概ね同様である。
ステップＳ１０〜Ｓ１２：ＣＰＵ１は、ユーザから操作パネル７の機器決定キー２３の操作を受け付け（ステップＳ１０）、選択された機器に関連する入出力待機画面をディスプレイ３３に表示する（ステップＳ１１）。また、ＣＰＵ１は、機能設定画面のページ数ｎを０に設定する（ステップＳ１２）。
ステップＳ１３：ＣＰＵ１は、操作パネル７内のキーが操作されたか否かを判断する。
ＣＰＵ１は、いずれのキーの操作も受け付けていないときは待機する（ステップＳ１３のＮｏ）。ＣＰＵ１は、いずれかのキー操作を受け付けたときは、ステップＳ１４の処理を行う。
【００４８】
ステップＳ１４：ＣＰＵ１は、機能設定キー２７の操作を受け付けたか否かを判断する。ＣＰＵ１は、機能設定キー２７の操作を受け付けた場合はステップＳ１５の処理を行う。一方、ＣＰＵ１は、機能設定キー２７以外のキーの操作を受け付けた場合は、ステップＳ２２の処理を行う。
ステップＳ１５：ＣＰＵ１は、機能設定キー２７の操作を受け付けた場合は、機能設定画面のページ数ｎに１を加算する（ｎ＝ｎ＋１）。
ステップＳ１６：ＣＰＵ１は、記憶部からｎページ目の機能設定画面に関連するデータを読み出し、ディスプレイ３３にｎページ目の機能設定画面を表示する。
【００４９】
ステップＳ１７：ＣＰＵ１は、ｎと機能設定画面の全ページ数ｎａとを比較して、ｎ＝ｎａの場合にはｎページ目の機能設定画面が最終ページであると判断する。ｎページ目の機能設定画面が最終ページの場合には、ＣＰＵ１はステップＳ１８の処理を行う。一方、ｎページ目の機能設定画面が最終ページではない場合、ＣＰＵ１はステップＳ１３の処理に戻る。
ステップＳ１８：ＣＰＵ１は、操作パネル７内のキーが操作されたか否かを判断する。
ＣＰＵ１は、いずれのキーの操作も受け付けていないときは待機する（ステップＳ１８のＮｏ）。ＣＰＵ１は、いずれかのキー操作を受け付けたときは、ステップＳ１９の処理を行う。
ステップＳ１９：ＣＰＵ１は、機能設定キー２７の操作を受け付けたか否かを判断する。ＣＰＵ１は、機能設定キー２７の操作を受け付けた場合はステップＳ２０の処理を行う。一方、ＣＰＵ１は、機能設定キー２７以外のキーの操作を受け付けた場合は、ステップＳ２２の処理を行う。
【００５０】
ステップＳ２０：ＣＰＵ１は、機能設定画面を入出力待機画面に戻すか否かを判断する。ここで、機能設定画面の最終ページにおいて機能設定キー２７が操作された場合に、機能設定画面を終了させて入出力待機画面を表示するか、あるいは、機能設定画面の１ページ目を表示するかは予め設定されているものとする。ＣＰＵ１は、入出力待機画面を表示する場合にはステップＳ１１の処理を行い、そうでない場合はステップＳ２１の処理を行う。
ステップＳ２１：ＣＰＵ１は、機能設定画面のページ数ｎを０に設定し（ｎ＝０）、ステップＳ１５の処理を行う。これにより、ＣＰＵ１はステップＳ１６において再び機能設定画面の１ページ目をディスプレイ３３に表示する。
ステップＳ２２：ＣＰＵ１は、カーソルキー２９の操作を受け付けたか否かを判断する。
【００５１】
ステップＳ２３：ＣＰＵ１は、カーソルキー２９の操作を受け付けた場合には、カーソルキー２９の操作に応じてカーソルを移動する。ユーザは、カーソルを所望の設定項目に合わせると、「確定」ボタンを押して設定値を確定する。ＣＰＵ１は、記憶部に確定された設定値を記憶させる。設定値の確定後、ユーザが図３の（ｂ）等に示す「閉じる」ボタンを押して機能設定画面を終了させれば、再び入出力待機画面をディスプレイ３３に表示させることもできる。
ステップＳ２４：ＣＰＵ１は、機能設定キー２７及びカーソルキー２９以外のキー操作を受け付けた場合には、そのキー操作に応じた処理を行う。例えば、リセットキー２８の操作を受け付けた場合、ＣＰＵ１は機能設定の設定値をリセットしてデフォルト値に戻し、ディスプレイ３３に入出力待機画面を表示するための処理を行う。
【００５２】
ステップＳ２５：ＣＰＵ１は、機能設定画面を入出力待機画面に戻すか否かを判断する。例えば、ステップＳ２３において前述した通り、ＣＰＵ１は、「閉じる」ボタンの操作を受け付けている場合には、機能設定画面を終了して入出力待機画面に戻ると判断する。また、ステップＳ２４において前述した通り、ＣＰＵ１は、リセットキー２８の操作を受け付けている場合にも、機能設定画面を終了して入出力待機画面に戻ると判断する。ＣＰＵ１は、機能設定画面を入出力待機画面に戻すと判断した場合には、ステップＳ１１の処理を行い入出力待機画面をディスプレイ３３に表示する。そうでない場合は、ＣＰＵ１はステップＳ１３の処理を行い、キーの入力を待機する。
【００５３】
（５）実施形態の作用効果
上記実施形態は、下記のように表現可能である。
【００５４】
（Ａ）画像処理装置１００（画像処理装置の一例）は、ディスプレイ３３（表示部の一例）と、機能設定キー２７（機能設定キーの一例）と、ＣＰＵ１（制御部の一例）と、を備えている。機能設定キー２７は、入出力の設定を含む各種機能を設定するための機能設定画面をディスプレイ３３に表示するためのキーであり、かつ、複数ページで構成された機能設定画面のページ切替が可能である。ＣＰＵ１は、機能設定キー２７の操作に応じて機能設定画面をディスプレイ３３に表示する。
【００５５】
例えば、ファクシミリ通信、印刷及び画像の読み取りが可能な画像処理装置１００において、ファクシミリ通信を行う場合を考える。ユーザが所定のキーによりファクシミリ通信を選択し、さらに機能設定キー２７を押せば、ファクシミリ通信に関する機能設定画面がディスプレイ３３に表示される。ファクシミリ通信に関する設定項目は、グループ送信、送付案内書、両面読み取り、連続読み込み、自動受信、メモリー送信、送受信の時刻指定などの複数の設定項目から構成されている。例えば、設定項目が２４項目あり、６項目が１ページの機能設定画面に表示される場合には、２４の設定項目は４ページに亘る機能設定画面に表示される。このような場合に、ユーザは、機能設定キー２７を用いて機能設定画面のページを切り替えることが可能である。つまり、機能設定キー２７は、機能設定画面に入るための機能と、機能設定画面のページを切り替えるための機能と、の複数の機能を有する。よって、ユーザは、機能設定キー２７のみの連続操作によって別の画面から機能設定画面への切替及び機能設定画面のページ切替が可能であり、別の操作ボタンを操作することなく所望の設定項目を含むページを探すことができる。ユーザは、所望の項目を含むページに到達した場合には、その機能設定画面において後述のカーソルキー２９を操作することでカーソルを移動して所望の項目を選択して設定を行う。
【００５６】
なお、機能設定画面での設定項目の表示の仕方によっては、カーソルキー２９でのページ切替よりも、機能設定キー２７でのページ切替の方が少ない操作回数でページ切替を行うことができる。例えば、機能設定画面の設定項目が３行２列で表示され、各行列により１ページで６項目の設定項目が表示されているとする。１行１列の位置にカーソルキー２９のカーソルが配置されている場合にユーザがカーソルキー２９でページ切替を行う場合には、例えばユーザは行方向に３回操作するか、あるいは列方向に２回操作することでページ切替を行う。一方、ユーザは機能設定キー２７を用いてページ切替を行う場合には、１回の操作でページ切替を行うことができる。
以上の通り、ユーザは、各種機能の設定において、機能設定キー２７を連続的に操作することで、別の画面から機能設定画面への切替及び機能設定画面のページ切替を即座に容易に行うことができる。そのため、このような画像処理装置によれば、機能設定キー２７の操作性を向上してユーザの利便性を高めることができる。
【００５７】
（Ｂ）画像処理装置１００は、機能設定画面内に表示された複数の項目のうち、いずれかの項目を選択状態にするためのカーソルキー２９（選択キーの一例）をさらに備える。
ユーザは、機能設定キー２７を操作することにより所望の項目を含むページに到達した場合には、その機能設定画面においてカーソルキー２９を操作することで所望の項目を選択することができる。例えば、ユーザがカーソルキー２９を操作することで、項目に合わせて表示されるカーソルが移動して所望の項目を選択状態にできる。
【００５８】
（Ｃ）ＣＰＵ１は、機能設定キー２７が機能設定画面の最終ページにおいて操作されるのに応じて、機能設定画面を終了させて入出力待機画面をディスプレイ３３に表示する。
機能設定キー２７は、機能設定画面を表示させる機能と、機能設定画面のページ切替を行う機能を有するとともに、さらに、機能設定画面から入出力待機画面に戻る機能も有する。
例えば、ユーザが所定のキーによりファクシミリ通信を選択すれば、ファクスの入出力待機画面が表示される。ユーザが次に機能設定キー２７を押せば、ファクシミリ通信に関する機能設定画面の１ページ目がディスプレイ３３に表示される。ユーザがさらに機能設定キー２７を押すことにより機能設定画面のページが切り替わり、最終ページが表示された後にユーザが再び機能設定キー２７を押せば、ファクスの入出力待機画面がディスプレイ３３に表示される。そして、入出力待機画面においてファクスを出力するための操作が行われれば、ファクスの送信が行われる。
このように本発明の画像処理装置１００によれば、機能設定キー２７に複数の機能を持たせることができる。
【００５９】
（Ｄ）ＣＰＵ１は、機能設定キー２７及びカーソルキー２９の操作により選択された項目の値を記憶した状態で、入出力待機画面をディスプレイ３３に表示する。
例えばユーザは、機能設定キー２７により機能設定画面のページを切り替え、カーソルキー２９により機能設定画面内の所望の項目を選択し、各種機能の設定を行う。ユーザは各種機能の設定が終了すればディスプレイ３３に入出力待機画面を表示させる。このとき、ユーザにより設定された各種機能は記憶されている。よって、ユーザが入出力待機画面において入力又は出力の実行を選択した場合には、画像処理装置１００は設定された各種機能に基づいて入出力を行える。
【００６０】
（Ｅ）ＣＰＵ１は、機能設定キー２７が機能設定画面の最終ページにおいて操作されるのに応じて、機能設定画面の１ページ目をディスプレイ３３に表示する。
機能設定画面は、例えば１ページ、２ページ目、３ページ目と順番に切り替えられる。もし、現在のページよりも前ページにおいて設定項目を設定したい場合には、ユーザは、機能設定キー２７により最終ページまでページを切り替え、最終ページにおいて機能設定キー２７を操作することにより１ページ目に戻ることができる。このようにユーザは、機能設定キー２７を操作することで所望のページまで機能設定画面を切り替えることができる。
【００６１】
（Ｆ）ＣＰＵ１は、機能設定画面内におけるカーソルの最終の位置を記憶しており、次に機能設定キー２７が操作されて次ページの機能設定画面をディスプレイ３３に表示する際に、最終の位置にカーソルを位置させる。
例えば、機能設定画面の１ページ目において、３行１列の位置にカーソルキー２９のカーソルが配置されているとする。ユーザが機能設定キー２７を操作すれば、ディスプレイ３３には機能設定画面の２ページ目が表示される。このとき、カーソルは、１ページ目と同じ３行１列に配置される。
【００６２】
（６）他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
【００６３】
（ａ）前記実施形態では、画像処理装置１００は、プリンタ１２による印刷、スキャナ１１による画像の読み取り、モデム５によるファクシミリ通信が可能である。しかし、画像処理装置１００がいずれか一つの機能、例えばプリンタ１２による印刷のみが可能な装置であっても上記発明は適用可能である。
【００６４】
（ｂ）上記実施形態の図５及び図６のフローチャートでは、処理の一例をスキャナ１１開示しているのみである。機能設定キー２７の操作に応じて機能設定画面のページを切り替えることができればよく、処理の流れは上記フローチャートに限定されない。
【産業上の利用可能性】
【００６５】
本発明は、ファクシミリ装置、コピー機、スキャナ、プリンタ、およびこれらの機能おの少なくとも２以上を有する複合機などの画像処理装置に広く適用できる。
【符号の説明】
【００６６】
１        ＣＰＵ     
１ａ      ＬＣＤＣ   
２        フラッシュＲＯＭ  
３        第１ＳＤＲＡＭ    
４        ＳＲＡＭ   
５        モデム     
６        ＮＣＵ     
７        操作パネル 
９        統合チップセット  
１０      第２ＳＤＲＡＭ    
１１      スキャナ   
１２      プリンタ   
１３      ネットワークボード
１４      システムバス      
１５      第１ローカルバス  
１６      第２ローカルバス  
１７      シリアルバス      
１８      ＬＡＮ     
１９      公衆交換電話網
２０〜２２      照明部      
２３      機器決定キー      
２４      画質決定キー      
２５      濃度決定キー      
２６      読取サイズ決定キー
２７      機能設定キー      
２８      リセットキー      
２９      カーソルキー      
３０      テンキー   
３１      スタートキー      
３２      ストップキー      
３３      ディスプレイ
１００    画像処理装置      
【図１】
2013051491.tif 000003
【図２】
2013051491.tif 000004
【図３】
2013051491.tif 000005
【図４】
2013051491.tif 000006
【図５】
2013051491.tif 000007
【図６】
2013051491.tif 000008